(57)【要約】【課題】外壁パネル体が居住空間に対向する窓部と、外壁パネル体が躯体構造物に対向するスパンドレル部とを設けた外壁を備えた建物において、外壁の屋外側に向けて表示を行う表示装置を、外壁パネル体の屋内側において、窓部の採光や屋内側からの視認性を損なうことなく、しかも交換やメンテナンスの作業性の良い状態で配設する。【解決手段】スパンドレル部１Ｂの外壁パネル体４と躯体構造物５との間の空間部を表示装置配設部２２とし、該表示装置配設部２２に、表示装置配設部２２と居住空間との間を昇降自在な表示装置２１を配設するとともに、表示装置２１の荷重を相殺するバランサー装置４０を設けた。【選択図】図２
2018053641.tif 000002
【特許請求の範囲】
【請求項１】
外壁パネル体が居住空間に対向する窓部と、該窓部の上側または下側に位置し、外壁パネル体が床、天井等の躯体構造物に対向するスパンドレル部とを設けた外壁を備えてなる建物において、スパンドレル部の外壁パネル体と躯体構造物との間の空間部を表示装置配設部とし、該表示装置配設部に、表示装置配設部と居住空間との間を昇降自在で、且つ、屋外側に向けて表示を行う表示装置を配設するとともに、該表示装置の荷重の全部または一部を相殺するバランサー装置を設けたことを特徴とする建物外壁部における表示装置の配設構造。
【請求項２】
請求項１において、スパンドレル部は、外壁パネル体と躯体構造物との間に、外壁パネル体と間隙を存する状態で耐火パネル体が配設されると共に、表示装置配設部は、外壁パネル体と耐火パネル体との間の空間部に設けられることを特徴とする建物外壁部における表示装置の配設構造。
【請求項３】
請求項１または２において、表示装置の昇降をガイドするガイドレールを設けたことを特徴とする建物外壁部における表示装置の配設構造。
【請求項４】
請求項１乃至３の何れか一項において、バランサー装置は、外壁パネル体を支持する枠材または該枠材に連結される額縁部材に支持されることを特徴とする建物外壁部における表示装置の配設構造。
【請求項５】
請求項１乃至４の何れか一項において、表示装置配設部の下方または上方に、表示装置配設部と居住空間との間を昇降する表示装置の昇降口となる開口を設けるとともに、バランサー装置を、前記開口を通して居住空間から表示装置配設部に取付け、取出し自在に構成したことを特徴とする建物外壁部における表示装置の配設構造。
【請求項６】
請求項５において、表示装置の昇降口となる開口を表示装置配設部の下方に設けるとともに、バランサー装置の上部に、表示装置配設部の上部に設けられた上側支持部材に着脱自在に引っ掛け係止される上側係止部を設ける一方、バランサー装置の下部に、表示装置配設部の下部に設けられた下側支持部材に着脱自在に止着される下側係止部を設けたことを特徴とする建物外壁部における表示装置の配設構造。
【請求項７】
請求項１乃至６の何れか一項において、バランサー装置はスパイラル式バランサーを用いて構成されることを特徴とする建物外壁部における表示装置の配設構造。
【発明の詳細な説明】
【技術分野】
【０００１】
本発明は、カーテンウォール等の建物外壁部における表示装置の配設構造に関するものである。
【背景技術】
【０００２】
一般的に、建物の外壁のなかには、例えばカーテンウォールのように、外壁パネル体が居住空間に対向する窓部と、外壁パネル体が床、天井等の躯体構造物に対向するスパンドレル部とを設けたものがある。このような外壁において、スパンドレル部は、床、天井等の躯体構造物が外部から見えないように目隠しすることが要求される。そこで、従来、スパンドレル部の外壁パネル体の屋内側に耐火パネル体を配設し、該耐火パネル体によって防火と目隠しとを図るようにしたものが知られている（例えば、特許文献１参照）。
一方、建物の外壁部を利用して、宣伝広告や装飾等の様々な表示を行いたいという要望がある。この場合、表示装置を窓部に設けると、窓部の採光や屋内側からの視認性が損なわれる惧れがある。そこで、スパンドレル部の屋外側に設けられた庇の上面に、表示装置を設置するようにした技術が知られている（例えば、特許文献２参照）。
【先行技術文献】
【特許文献】
【０００３】
【特許文献１】特許第５２３２５８８号公報
【特許文献２】特開２０１４−２３２２７１号公報
【発明の概要】
【発明が解決しようとする課題】
【０００４】
しかしながら、前記特許文献２の表示装置は、スパンドレル部の屋外側に設けられた庇の上面に設けられているため、表示装置の雨仕舞が必要であるうえ、屋外広告物とみなされて条例により規制を受ける場合がある。さらに、表示装置のメンテナンスや交換を行う場合には、外壁の屋外側からしかアクセスすることができないため、表示装置が高所に設けられている場合には屋外に足場を組まなければならず、コストアップの要因になるうえ、雨天や強風等の天候によってはメンテナンスや交換を行えない場合もある。さらにまた、表示装置は重量の重いものも多く、メンテナンスや交換を行う場合の作業性に劣るという問題があり、これらに本発明の解決すべき課題がある。
【課題を解決するための手段】
【０００５】
本発明は、上記の如き実情に鑑みこれらの課題を解決することを目的として創作されたものであって、請求項１の発明は、外壁パネル体が居住空間に対向する窓部と、該窓部の上側または下側に位置し、外壁パネル体が床、天井等の躯体構造物に対向するスパンドレル部とを設けた外壁を備えてなる建物において、スパンドレル部の外壁パネル体と躯体構造物との間の空間部を表示装置配設部とし、該表示装置配設部に、表示装置配設部と居住空間との間を昇降自在で、且つ、屋外側に向けて表示を行う表示装置を配設するとともに、該表示装置の荷重の全部または一部を相殺するバランサー装置を設けたことを特徴とする建物外壁部における表示装置の配設構造である。
請求項２の発明は、請求項１において、スパンドレル部は、外壁パネル体と躯体構造物との間に、外壁パネル体と間隙を存する状態で耐火パネル体が配設されると共に、表示装置配設部は、外壁パネル体と耐火パネル体との間の空間部に設けられることを特徴とする建物外壁部における表示装置の配設構造である。
請求項３の発明は、請求項１または２において、表示装置の昇降をガイドするガイドレールを設けたことを特徴とする建物外壁部における表示装置の配設構造である。
請求項４の発明は、請求項１乃至３の何れか一項において、バランサー装置は、外壁パネル体を支持する枠材または該枠材に連結される額縁部材に支持されることを特徴とする建物外壁部における表示装置の配設構造である。
請求項５の発明は、請求項１乃至４の何れか一項において、表示装置配設部の下方または上方に、表示装置配設部と居住空間との間を昇降する表示装置の昇降口となる開口を設けるとともに、バランサー装置を、前記開口を通して居住空間から表示装置配設部に取付け、取出し自在に構成したことを特徴とする建物外壁部における表示装置の配設構造である。
請求項６の発明は、請求項５において、表示装置の昇降口となる開口を表示装置配設部の下方に設けるとともに、バランサー装置の上部に、表示装置配設部の上部に設けられた上側支持部材に着脱自在に引っ掛け係止される上側係止部を設ける一方、バランサー装置の下部に、表示装置配設部の下部に設けられた下側支持部材に着脱自在に止着される下側係止部を設けたことを特徴とする建物外壁部における表示装置の配設構造である。
請求項７の発明は、請求項１乃至６の何れか一項において、バランサー装置はスパイラル式バランサーを用いて構成されることを特徴とする建物外壁部における表示装置の配設構造である。
【発明の効果】
【０００６】
請求項１の発明とすることにより、屋外側からの目隠しが必要なスパンドレル部を利用して外壁パネル体の屋内側に表示装置を配設できるとともに、表示装置の交換やメンテナンスの作業性向上に貢献できる。
請求項２の発明とすることにより、スパンドレル部に耐火パネル体が設けられていても、表示装置を屋外側から視認できるように配設できる。
請求項３の発明とすることにより、表示装置の昇降をスムーズに行うことができる。。
請求項４の発明とすることにより、外壁パネル体を支持する枠材または額縁部材を利用して、バランサー装置を確実に支持できる
請求項５の発明とすることにより、バランサー装置を居住空間側から表示装置配設部に取付け、取出しできることになって、バランサー装置のメンテナンス性の向上に貢献できる。
請求項６の発明とすることにより、バランサー装置の居住空間側から表示装置配設部への取付け、取出しを容易に行うことができる。
請求項７の発明とすることにより、スパイラル式バランサーを用いてバランサー装置を構成することができる。
【図面の簡単な説明】
【０００７】
【図１】カーテンウォールの正面図である。
【図２】スパンドレル部および窓部の縦断面図である。
【図３】スパンドレル部の拡大縦断面図である。
【図４】図３のＸ−Ｘ断面図である。
【図５】図３のＹ−Ｙ断面図である。
【図６】（Ａ）はスパンドレル部の下部の詳細縦断面図、（Ｂ）は（Ａ）のＸ−Ｘ断面図である。
【図７】（Ａ）はスパンドレル部の上部の詳細縦断面図、（Ｂ）は（Ａ）のＸ−Ｘ断面図である。
【図８】バランサー装置の取付け状態を示す図である。
【図９】（Ａ）はバランサー装置および連結ブラケットの斜視図、（Ｂ）はスパイラル式バランサーの一部断面図である。
【図１０】表示装置を下降させる場合の手順を示す図である。
【図１１】（Ａ）、（Ｂ）は表示装置を下降させて取外す手順を説明する図である。
【図１２】（Ａ）、（Ｂ）はバランサー装置を取外す手順を説明する図である。
【発明を実施するための形態】
【０００８】
以下、本発明の実施の形態について、図面に基づいて説明する。図面において、１は建物の外壁に用いられるカーテンウォールであって、該カーテンウォール１は、方立（縦材、マリオン）２と無目（横材）３とからなる枠材の開口部に外壁パネル体４を取付けて形成されている。
【０００９】
前記カーテンウォール１には、外壁パネル体４が居住空間に対向する窓部１Ａと、該窓部１Ａの上側または下側に位置し、外壁パネル体４が床５ａ、天井５ｂ、スラブ（最上階において天井５ｂの上側の設けられるスラブ、最下階において床５ａの下側に設けられるスラブ、中間階において床５ａと下階の天井５ｂとの間に設けられるスラブ等）５ｃ、腰壁５ｄ等の躯体構造物５に対向するスパンドレル部１Ｂとが設けられているが、本実施の形態においてスパンドレル部１Ｂは、上下階の窓部１Ａの層間部、最上階の窓部１Ａの上側、および最下階の窓部１Ａの下側に設けられているとともに、窓部１Ａとスパンドレル部１Ｂとは、図１に示すように、屋外側から視て無目３によって上下に区画されている。
尚、本実施の形態では、外壁パネル体４として、スパンドレル部１Ｂでは高透過ガラスが用いられており、窓部１Ａでは複層ガラスが用いられている。また、前記方立２および無目３は、本発明の外壁パネル体４を支持する枠材に相当する。
【００１０】
前記方立２は、該方立２の屋内側半部を構成し、水平断面が矩形中空状の方立本体部２Ａと、該方立本体部２Ａに一体形成され、方立２の屋外側半部を構成する外壁支持部２Ｂとから構成されている。そして方立２は、方立本体部２Ａがファスナー１２を介してスラブ５ｃに固定されることで、躯体側に取付け支持されるように構成されている。
【００１１】
前記方立２の外壁支持部２Ｂには、無目３の左右外端部が取付けられると共に、上下の無目３間に位置する状態で、左右の方立アタッチメント６が取付けられている。そして、該左右の方立アタッチメント６の屋外側面部６ａと、外壁支持部２Ｂの屋外側端部に形成された見付け辺２Ｂａとの間に、外壁パネル体４の左右縦辺部が嵌合されるパネル嵌合溝２Ｂｂが形成されており、該パネル嵌合溝２Ｂｂには、ビート１０やシーリング材１１を介して外壁パネル体４の左右縦辺部が嵌合支持されている。尚、本実施の形態を説明するにあたり、外壁パネル体４の面方向に沿うと共に上下方向と直交する方向を、左右方向として説明する。
【００１２】
また、前記無目３は、その左右外端部が前記方立２の外壁支持部２Ｂに取付支持される状態で、左右に隣接する方立２間に支架されると共に、外壁パネル体４の上下辺部が嵌合されるパネル嵌合溝３ａを有しており、該無目３のパネル嵌合溝３ａには、外壁パネル体４の上下辺部がビート１０やシーリング材１１を介して嵌合支持されるようになっている。そして、本実施の形態では、無目３として、最上階のスパンドレル部１Ｂの外壁パネル体４の上辺部を支持する上枠無目３Ａと、スパンドレル部１Ｂと該スパンドレル部１Ｂの下階の窓部１Ａとを区画し、スパンドレル部１Ｂの外壁パネル体４の下辺部を支持すると共に下階の窓部１Ａの外壁パネル体４の上辺部を支持する第一中間無目３Ｂと、スパンドレル部１Ｂと該スパンドレル部１Ｂの上階の窓部１Ａとを区画し、スパンドレル部１Ｂの外壁パネル体４の上辺部を支持すると共に上階の窓部１Ａの外壁パネル体４の下辺部を支持する第二中間無目３Ｃと、最下階のスパンドレル部１Ｂの外壁パネル体４の下辺部を支持する下枠無目３Ｄとが設けられている。
【００１３】
一方、７はけい酸カルシウム板等の耐火材から構成される耐火パネル体であって、火災時に上下階への延焼を防止するために設けられるものであるが、該耐火パネル体７は、スパンドレル部１Ｂの外壁パネル体４と躯体構造物５との間に、外壁パネル体４と間隙を存する状態で配設されている。そして、該耐火パネル体７と外壁パネル体４との間で、且つ、左右に隣接する方立本体部２Ａの間の空間部が、後述する表示装置２１が配設される表示装置配設部２２に構成されている。
【００１４】
ここで、本実施の形態の耐火パネル体７は、左右に隣接する方立２の方立本体部２Ａ間に位置する状態で配設される第一耐火パネル体７Ａと、方立本体部２Ａの屋内側において左右に隣接する第一耐火パネル７Ａの左右外端部同士に亘るように設けられる第二耐火パネル体７Ｂとから構成されている。そして、耐火パネル体７は、第一耐火パネル体７Ａの下端部が、方立本体部２Ａの左右の側面部２Ａａにネジ８ａを介して固定される左右の耐火パネル体支持ブラケット８に載置支持され、また、第一耐火パネル体７Ａの屋外側への移動が、方立本体部２Ａの左右の側面部２Ａａにネジ９ａを介して固定される左右の耐火パネル位置決めブラケット９によって規制され、さらに、第二耐火パネル体７Ｂが方立本体部２Ａの屋内側面部２Ａｃにネジ２０を介して取付けられることによって、方立本体部２Ａに取付け支持されるようになっている。
【００１５】
また、前記第一耐火パネル体７Ａの下部には、屋内外方向に貫通する配線用貫通孔７Ａａが形成されている。そして、該配線用貫通孔７Ａａを通して、耐火パネル体７の屋内側に配置された電源盤２３から延びるハーネス２５が表示装置配設部２２に引き出されるようになっているとともに、該表示装置配設部２２に引き出されたハーネス２５の先端部には、給電側コネクタ２６が接続されている。
尚、前記電源盤２３には、電源スイッチやコントローラ等が設けられるが、該電源盤２３へのアクセスは、天井５ｂに開閉自在に設けられた天井側点検口５ｅから行えるようになっている。
【００１６】
さらに、第一中間無目（スパンドレル部１Ｂと該スパンドレル部１Ｂの下階の窓部１Ａとを区画する無目）３Ｂの屋内側には、天井５ｂに連結される天井側額縁２８が配設されているが、該天井側額縁２８は、その屋外側端面２８ｂの屋内外方向の位置が方立本体部２Ａの屋内側面部２Ａｃと略同位置に設定されていて、第一中間無目３Ｂとは間隔を存する状態になっている。そして、該第一中間無目３Ｂと天井側額縁２８との間の間隔は、前記表示装置配設部２２の下方に位置していて、後述するように表示装置配設部２２と下階の居住空間との間を昇降する表示装置２１の昇降口となる開口２９になっているとともに、該開口２９は、蓋体３０によって開閉自在に覆蓋されるようになっている。
尚、図中、２７は耐火パネル体７の下側位置において左右方向に延びる額縁用アングルであって、該額縁用アングル２７は、方立本体部２Ａの屋内側面部２Ａｃにネジ２７ａを介して固定されている。そして、該額縁用アングル２７に、前記天井側額縁２８の屋外側端部がネジ２８ａを介して取付けられている。
【００１７】
一方、前記表示装置２１は、本実施の形態では、広告や装飾用の文字、図柄等の表示がなされた表示パネル（サイン）３１と、該表示パネル３１の屋内側に積層状に配される導光パネル３２と、これら両パネル３１、３２の四周を支持する枠体３３と、光源（本実施の形態ではＬＥＤ）３４等を備えて構成されている。そして、光源３４から発せられた光が導光パネル３２において発光し、これがバックライトとなって表示パネル３１を照射することによって、表示パネル３１の文字や図柄等が視認されるようになっているが、表示装置２１は、前述したように、スパンドレル部１Ｂの外壁パネル体４と耐火パネル体７との間に形成される表示装置配設部２２に配設されており、これにより、スパンドレル部１Ｂの透明な外壁パネル体４を通して屋外側から表示パネル３１の表示を視認できるようになっている。さらに、前記ＬＥＤ３４に接続されるリード線は、下方に延びて受電側コネクタ３６に接続されており、該受電側コネクタ３６と前記給電側コネクタ２６とを接続することによってＬＥＤ３４への給電がなされるが、これら受電側コネクタ３６、給電側コネクタ２６の断続は、後述するように、前記開口２９から行えるようになっている。また、表示装置２１の左右両側の下端部には、後述するバランサー装置４０に着脱自在に連結される連結ブラケット３９がネジ３９ａを介して止着されている。
【００１８】
さらに、前記表示装置２１が配設される表示装置配設部２２は、前述したように、スパンドレル部１Ｂの外壁パネル体４と耐火パネル体７との間で、且つ、左右に隣接する方立本体部２Ａの間の空間部に設けられるが、該表示装置配設部２２には、表示装置２１の下端部を支持するための左右の表示装置支持プラケット３７と、表示装置２１の左右縁部を支持するとともに表示装置２１の昇降をガイドするための左右のガイドレール３８と、表示装置２１の左右下端部に連結されて表示装置２１の荷重を相殺する左右のバランサー装置４０とが設けられている。
【００１９】
前記左右のガイドレール３８は、上下方向に延びる水平断面コ溝形状のものであって、方立本体部２Ａの左右側面部２Ａａにネジ３８ａを介して固定されている。また、左右の表示装置支持ブラケット３７は、支持片３７ａと該支持片３７ａから垂下される取付片３７ｂとからなる逆Ｌ字形状のものであって、前記左右のガイドレール３８の溝内下端部において、取付片３７ｂが左右のガイドレール３８の溝底面３８ｂを間に介装する状態で方立本体部２Ａの左右側面部２Ａａにネジ３７ｃを介して着脱自在に取付けられている。そして、表示装置２１は、下端部の左右両側が左右の表示装置支持ブラケット３７の支持片３７ａに載置され、且つ、左右両端部が左右のガイドレール３８に嵌合されることによって、表示装置配設部２２に安定した状態で保持されるようになっているとともに、表示装置支持ブラケット３７が方立本体部２Ａの左右側面部２Ａａから取外された状態では、左右のガイドレール３８にガイドされながら昇降できる構成になっている。さらに、前記表示装置支持ブラケット３７は、表示装置配設部２２の下方の開口２９の少し上側に位置していて、後述するように、開口２９から表示装置支持ブラケット３７の着脱作業を行えるようになっている。尚、表示装置２１の荷重は、後述するバランサー装置４０によって略相殺される構成となっているため、前記表示装置支持ブラケット３７には表示装置２１の荷重は殆どかからないようになっている。
【００２０】
また、前記左右のバランサー装置４０は、本実施の形態では、それぞれ前後２つのスパイラル式バランサー４１を用いて構成されている。スパイラル式バランサー４１は、周知の技術であるため詳細な説明は省略するが、軸方向が上下方向を向く筒状のケース体４２、該ケース体４２の下端部に回転可能に設けられネジ状のスリットを有する回転ガイド４３、該回転ガイド４３のスリットに螺合状態で貫通しケース体４２の下端から引き出し可能なスパイラルロッド４４、該スパイラルロッド４４の外周に嵌装され上端部がケース体４２に固定され下端部が回転ガイド４３に連結されるトーションスプリング４５等を具備して構成されているとともに、スパイラルロッド４４の下端部には、前記表示装置２１の下端部に止着された連結ブラケット３９のジョイント部３９ｂに着脱自在に連結される連結フック４６が一体的に固定されている。そして、該連結フック４６および連結ブラケット３９を介してスパイラルロッド４４の下端部に連結された表示装置２１の重量は、スパイラルロッド４４を下降させる荷重として作用するが、該荷重と略釣り合う上向きの力が前記トーションスプリング４５によって付与されるように設定されており、これにより、前記表示装置支持ブラケット３７を取外した状態で表示装置２１を昇降させる場合に、表示装置２１を任意の昇降位置で保持できるとともに、軽い操作力で表示装置２１を昇降させることができるようになっている。
【００２１】
ここで、左右のバランサー装置４０をそれぞれ構成する前後２つのスパイラル式バランサー４１は、ケース体４２の軸方向が上下方向を向く状態でケース固定プレート４７に並列状に固定されているとともに、該ケース固定プレート４７の上部には、フック状の上側係止部４７ａがケース体４２の上部を貫通するネジ４７ｂを介して固定され、また、ケース固定プレート４７の下部には、ケース固定プレート４７に対して直角状に折曲された下側係止部４７ｃが一体形成されている。一方、左右のガイドレール３８の溝内上部には、前記上側係止部４７ａを引っ掛けることで該上側係止部４７ａが着脱自在に係止するフック状の上側バランサー支持ブラケット（本発明の上側支持部材に相当する）４８が設けられており、また、ガイドレール３８の溝内下部には、前記表示装置支持ブラケット３７の少し上側の位置に、下側係止部４７ｃがネジ４９ａを介して着脱自在に止着される下側バランサー支持ブラケット（本発明の下側支持部材に相当する）４９が設けられているが、これら上側バランサー支持ブラケット４８および下側バランサー支持ブラケット４９は、ガイドレール３８の溝底面３８ｂを間に介装する状態で、方立本体部２Ａの左右側面部２Ａａにネジ４８ａ、４９ｂを介して固定されている。そして、バランサー装置４０は、ケース体４２が固定されるケース固定プレート４７の上部に設けられたフック状の上側係止部４７ａを上側バランサー支持ブラケット４８に引っ掛けて係止した後、ケース固定プレート４７の下部に設けられた下側係止部４７ｃを下側バランサー支持ブラケット４９にネジ４９ａで止着することにより、ケース体４２の軸方向が上下方向を向く状態で、表示装置配設部２２に設けられた左右のガイドレール３８の溝内に配設されるようになっているが、該バランサー装置４０の表示装置配設部２２への出し入れは、前記表示装置２１の昇降口となる開口２９から行えるようになっているとともに、フック状の上側係止部４７ａの上側バランサー支持ブラケット４８への着脱自在な引っ掛け係止、および下側係止部４７ｃの下側バランサー支持ブラケット４９へのネジ４９ａによる着脱自在な止着も、前記開口２９から行えるようになっている。
尚、図中、４８ｂは前記上側バランサー支持ブラケット４８用の補強板であって、該補強板４８ｂは、上側バランサー支持ブラケット４８が取付けられる方立本体部左右側面部２Ａａの背面側にネジ４８ｃを介して取付けられている。
【００２２】
一方、５０は下側耐火ブロックであって、前記耐火パネル体７と同様に耐火材から構成されるものであるが、該下側耐火ブロック５０は、前記表示装置支持ブラケット３７と開口２９との間に位置する状態で、表示装置配設部２２の下側を着脱自在に塞ぐように設けられている。また、５１は前記下側耐火ブロック５０を載置支持する下側耐火ブロック支持ブラケットであって、該下側耐火ブロック支持ブラケット５１は、第一中間無目３Ｂの屋内側面部３Ｂａに固定された第一中間無目アダプター５２と、前記耐火パネル体支持ブラケット８とにネジ５１ａ、５１ｂを介して着脱自在に取付けられている。さらに、この下側耐火ブロック支持ブラケット５１の下側に、前記開口２９を開閉自在に覆蓋する蓋体３０がネジ３０ａを介して着脱自在に取付けられているが、これら蓋体３０用のネジ３０ａおよび下側耐火ブロック支持ブラケット５１用のネジ５１ａ、５１ｂは共に下側から螺入されるように設定されていて、蓋体３０および下側耐火ブロック支持ブラケット５１の着脱作業を、スパンドレル部１Ｂの下階の居住空間から行うことができるようになっている。尚、図中、５３はビードであって、該ビード５３は、蓋体３０の四周外縁部と、該四周外縁部に対向する第一中間無目３Ｂの屋内側面部３Ｂａ、天井側額縁２８の屋外側端面２８ｂ、方立本体部２Ａの左右側面部２Ａａとのあいだに嵌着される。
【００２３】
また、５４は前記第二中間無目（スパンドレル部１Ｂと該スパンドレル部１Ｂの上階の窓部１Ａとを区画する無目）３Ｃの屋内側に第二中間無目アダプター５５を介して取付けられる膳板であって、該膳板５４は、前記表示装置配設部２２および耐火パネル体７の上方に位置する状態で、第二中間無目３Ｃから腰壁５ｄの上部に至るように設けられている。
尚、前記第二中間無目アダプター５５は、第二中間無目３Ｃの屋内側面部３Ｃａに固定される下側第二中間無目アダプター５５ａと、該下側第二中間無目アダプター５５ａの上側に固定される上側第二中間無目アダプター５５ｂとから構成されている。また、図中、６０は膳板５４と方立本体部２Ａの左右側面部２Ａａとの間を塞ぐシーリングである。
【００２４】
さらに、前記膳板５４の下側には、第二中間無目アダプター５５と第一耐火パネル体７Ａの上部間に位置する状態で、表示装置配設部２２の上側を塞ぐ上側耐火ブロック５６が配設されている。該上側耐火ブロック５６は、前記下側耐火ブロック５０と同様に耐火材から構成されるものであって、上側耐火ブロック支持ブラケット５７に載置支持されているが、該上側耐火ブロック支持ブラケット５７は、屋外側端部がネジ５７ａを介して第二中間無目アダプター５５に取付けられ、また、屋内側端部がネジ５７ｂを介して支持アングル５８に取付けられている。該支持アングル５８は、第一耐火パネル体７Ａの上側位置において、方立本体部２Ａの左右側面部２Ａａに固定された左右のアングル用ブラケット５９にネジ５８ａを介して取付け支持される状態で、左右に隣接する方立２の方立本体部２Ａ間に支架されている。
尚、前述した下側耐火ブロック５０、上側耐火ブロック５６は、火災時における延焼を防止するべく表示装置配設部２２の上下を耐火材で塞ぐものであるが、これら下側耐火ブロック５０、上側耐火ブロック５６は、本発明の耐火パネル体には相当しない。
【００２５】
そして、この様に構成された本実施の形態のものにおいて、表示装置配設部２２に配設された表示装置２１を、表示パネル３１の変更やＬＥＤ３４の交換等のメンテナンスのために取出す場合には、まず、表示装置配設部２２が設けられたスパンドレル部１Ｂの下階の居住空間側から、蓋体３０の四周外縁部に嵌着されたビード５３を取外す。次いで、蓋体３０を取外して、表示装置配設部２２の下方の開口２９を開く。さらに、下側耐火ブロック支持ブラケット５１を取外し、同時に該下側耐火ブロック支持ブラケット５１に載置された下側耐火ブロック５０も取出す。この状態で、表示装置２１の受電側コネクタ３６を給電側コネクタ２６から外す。次いで、表示装置支持ブラケット３７を取外してから、表示装置２１を下側から引っ張ると、表示装置２１が下降して表示装置配設部２２から下階の居住空間に出てくる。このとき表示装置２１は、該表示装置２１の荷重を相殺するバランサー装置４０の作用により軽い操作力で緩やかに下降するとともに、表示装置２１の左右両側が左右のガイドレール３８にガイドされることで安定した状態で下降する。そして、バランサー装置４０のスパイラルロッド４４がケース体４２から最も引き出される下端位置に位置するまで表示装置２１を下降させたら、バランサー装置４０の連結フック４６と表示装置２１下端部の連結ブラケット３９との連結を外すことにより、表示装置２１は、バランサー装置４０との連結が解除された状態で居住空間に取出される。
【００２６】
一方、表示装置２１を表示装置配設部２２に配設する場合には、表示装置配設部２２が設けられたスパンドレル部１Ｂの下階の居住空間から、開口２９を通して表示装置２１を表示装置配設部２２に収納する。この場合、まず、スパイラルロッド４４が前述した下端位置に位置している状態で、バランサー装置４０の連結フック４６を表示装置２１下端部の連結ブラケット３９に連結して、表示装置２１の左右下端部をバランサー装置４０に連結する。しかる後、表示装置２１を上側に持ち上げて上昇させることにより、表示装置２１は開口２９を通って居住空間から表示装置配設部２２に収納されていく。該表示装置２１の上昇は、表示装置２１の荷重を相殺するバランサー装置４０の作用により軽い操作力で行えるとともに、表示装置２１の左右両側が左右のガイドレール３８にガイドされることで安定した状態で行われる。そして、表示装置２１を表示装置支持ブラケット３７の取付け位置の少し上方まで上昇させてから、表示装置支持ブラケット３７を取付け、該表示装置支持ブラケット３７に表示装置２１を載置する。さらに、表示装置２１の受電側コネクタ３６を給電側コネクタ２６に接続する。次いで、下側耐火ブロック５０を表示装置配設部２２に入れてから、下側耐火ブロック支持ブラケット５１を取付ける。しかる後、蓋体３０を取付けて開口２９を塞ぎ、さらに該蓋体３０の四周外縁部にビード５３を嵌着することによって、表示装置２１の表示装置配設部２２への配設作業が完了することになる。
【００２７】
さらに、前記バランサー装置４０は、表示装置２１が表示装置配設部２２に配設されておらず、且つ、表示装置２１との連結が解除されている状態で、居住空間から表示装置配設部２２に取付け、取出しすることができる。つまり、バランサー装置４０を表示装置配設部２２に取付ける場合には、表示装置配設部２２の下方の開口２９からバランサー装置４０を入れて、該バランサー装置４０の上部（本実施の形態では、スパイラル式バランサー４１のケース体４２が固定されるケース固定プレート４７の上部）に設けられたフック状の上側係止部４７ａを、表示装置配設部２２の上部（本実施の形態では、表示装置配設部２２に設けられたガイドレール３８の上部）に設けられた上側バランサー支持ブラケット４８に引っ掛けて係止し、しかる後、バランサー装置４０の下部（本実施の形態では、スパイラル式バランサー４１のケース体４２が固定されるケース固定プレート４７の下部）に設けられた下側係止部４７ｃを、表示装置配設部２２の下部（本実施の形態では、表示装置配設部２２に設けられたガイドレール３８の下部）に設けられた下側バランサー支持ブラケット４９にネジ４９ａにより止着する。また、バランサー装置４０を表示装置配設部２２から取出す場合には、表示装置配設部２２の下方の開口２９からネジ４９ａを外して、下側係止部４７ｃを下側バランサー支持ブラケット４９から取り外した後、バランサー装置４０を少し持ち上げて、上側係止部４７ａと上側バランサー支持ブラケット４８との引っ掛け係止を解除することにより、バランサー装置４０を表示装置配設部２２から取出すことができる。この場合に、表示装置配設部２２は、スパンドレル部１Ｂの外壁パネル体４と躯体構造物５との間の空間部（本実施の形態では、スパンドレル部１Ｂの外壁パネル体４と耐火パネル体７との間の空間部）であって屋内外方向に狭く、作業員が開口２９から表示装置配設部２２の上部にまで手を入れて作業することは困難であるが、バランサー装置４０の上部においては、上側係止部４７ａと上側バランサー支持ブラケット４８との係止が引っ掛け式であるため、表示装置配設部２２の下方の開口２９から容易に着脱することができる。また、バランサー装置４０の下部においては、下側係止部４７ｃと下側バランサー支持ブラケット４９とがネジ４９ａにより止着されているため、表示装置２１の昇降等においてバランサー装置４０が外れてしまうことを確実に防止できる。尚、下側バランサー支持ブラケット４９は表示装置配設部２２の下部に設けられているとともに、該下側バランサー支持ブラケット４９に下側係止部４７ｃを止着するネジ４９ａは下側バランサー支持ブラケット４９の下方から螺入される構成になっているため、表示装置配設部２２の下方の開口２９から下側係止部４７ｃの下側バランサー支持ブラケット４９への着脱作業を容易に行うことができる。
【００２８】
叙述の如く構成された本発明の実施の形態において、建物の外壁としてのカーテンウォール１には、外壁パネル体４が居住空間に対向する窓部１Ａと、該窓部１Ａの上側または下側に位置し、外壁パネル体４が床５ａ、天井５ｂ等の躯体構造物５に対向するスパンドレル部１Ｂとが設けられているが、該スパンドレル部１Ｂの外壁パネル体４と躯体構造部５との間の空間部（本実施の形態では、スパンドレル部１Ｂの外壁パネル体４と躯体構造物５との間に耐火パネル体７が配されており、該耐火パネル体７と外壁パネル体４との間の空間部）は表示装置配設部２２となっており、該表示装置配設部２２には、表示装置配設部２２と居住空間との間を昇降自在で、且つ、屋外側に向けて表示を行う表示装置２１が配設されるとともに、該表示装置２１の荷重を相殺するバランサー装置４０が設けられることになる。
【００２９】
而して、前記表示装置２１によって、カーテンウォール１の屋外側に向けて宣伝広告や装飾等の様々な表示を行えることになるが、この表示装置２１は、スパンドレル部１Ｂの外壁パネル体４と躯体構造部５との間の表示装置配設部２２に配設されているため、屋外側からの目隠しが必要であるスパンドレル部１Ｂを利用して、窓部１Ａの採光や屋内側からの視認性が損なわれる惧れがない状態で、表示装置２１を配設できることになる。しかも、表示装置配設部２２は外壁パネル体４の屋内側であるから、表示装置２１の雨仕舞の必要もなく、また、屋外広告物としての条例の規制も受けないことになる。
【００３０】
さらにこのものにおいて、表示装置２１は表示装置配設部２２と居住空間との間を昇降自在であるから、表示装置２１のメンテナンスや交換を行う場合には、表示装置２１を昇降させて表示装置配設部２２から居住空間に取出すことができ、而して、表示装置２１がカーテンウォール１の屋外側に配設される場合のように、屋外に足場を組む必要もなく、また、天候に左右される惧れもなくなって、交換やメンテナンスの作業性の向上に大きく貢献できる。
【００３１】
しかも、前記表示装置２１を昇降させる場合に、表示装置２１の荷重を相殺するバランサー装置４０が設けられており、これにより、表示装置２１の重量が重くても、軽い操作力で表示装置２１を昇降させることができるとともに、表示装置２１が不用意に落下してしまうことを確実に防止できることになって、表示装置２１の交換やメンテナンスの作業性を更に向上させることができる。
【００３２】
さらにこのものには、表示装置２１の昇降をガイドするガイドレール３８が設けられているため、表示装置２１の昇降をスムーズに行うことができる。
【００３３】
また、本実施の形態では、スパンドレル部１Ｂの外壁パネル体４と躯体構造物５との間に、外壁パネル体４と間隙を存する状態で耐火パネル体７が配設されていると共に、該耐火パネル体７と外壁パネル体４との間の空間部が表示装置配設部２２になっている。このように耐火パネル体７と外壁パネル体４との間の空間部を表示装置配設部２２にすることにより、上下階への延焼を防止するべくスパンドレル部１Ｂに耐火パネル体７が配設されていても、表示装置２１を屋外側から視認できるように配設できることになる。
【００３４】
さらに、本実施の形態において、前記バランサー装置４０は、該バランサー装置４０の上部に設けられた上側係止部４７ａが上側バランサー支持ブラケット４８に係止し、また、下部に設けられた下側係止部４７ｃが下側バランサー支持ブラケット４９に係止する状態で表示装置配設部２２に配設される構成になっているが、これら上側および下側バランサー支持ブラケット４８、４９は、方立２を構成する方立本体部２Ａにネジ４８ａ、４９ｂを介して固定されている。而して、表示装置配設部２２に配設されたバランサー装置４０は、上側および下側バランサー支持ブラケット４８，４９を介して方立２に支持されることになるが、該方立２は外壁パネル体４を支持する枠材であって強度的にも優れており、而して、外壁パネル体４を支持する枠材を利用して、表示装置２１の荷重がかかるバランサー装置４０を確実に支持できることになる。
【００３５】
さらにこのものでは、表示装置配設部２２の下方に、表示装置配設部２２と居住空間との間を昇降する表示装置２１の昇降口となる開口２９が設けられているとともに、該開口２９を通してバランサー装置４０を居住空間から表示装置配設部２２に取付け、取出し自在に構成されている。これにより、バランサー装置４０を居住空間に取出して、バランス力の調整や修理等のメンテナンスを行うことができ、更なるメンテナンス性の向上に貢献できる。
【００３６】
さらに、本実施の形態では、前記バランサー装置４０を開口２９を通して居住空間から表示装置配設部２２に取付け、取出し自在に構成するにあたり、バランサー装置４０の上部に、表示装置配設部２２の上部に設けられた上側バランサー支持ブラケット４８に着脱自在に引っ掛け係止される上側係止部４７ａを設ける一方、バランサー装置４０の下部に、表示装置配設部２２の下部に設けられた下側バランサー支持ブラケット４９に着脱自在に止着される下側係止部４７ｃが設けられている。而して、表示装置配設部２２が、スパンドレル部１Ｂの外壁パネル体４と躯体構造物５との間に設けられた屋内外方向に狭い空間部であっても、上側バランサー支持ブラケット４８への上側係止部４７ａの係止は引っ掛け式であるから、表示装置配設部２２の下方の開口２９から係止および係止解除を容易に行うことができるとともに、下側係止部４７ｃが下側バランサー支持ブラケット４９に止着されていることによって、表示装置２１の昇降時等に前記引っ掛け係止が外れてしまうことを確実に防止できることになる。
【００３７】
尚、本発明は上記実施の形態に限定されないことは勿論であって、上記実施の形態では、建物の外壁として、方立と無目とを枠材として外壁パネル体が組み込まれたカーテンウォールを例示したが、このようなカーテンウォールだけでなく、例えば、サッシ枠を枠材として外壁パネル体が組み込まれた外壁等であっても、窓部とスパンドレル部とが設けられている外壁であれば、本発明を実施できる。
また、上記実施の形態では、躯体構造物として腰壁が設けられているが、腰壁が設けられていない場合であっても、本発明を実施できることは勿論である。
さらに、上記実施の形態では、外壁パネル体として、スパンドレル部では高透過ガラスが用いられており、窓部では複層ガラスが用いられているが、これに限定されることなく、スパンドレル部の少なくとも一部、つまり、表示装置が配設される部分の外壁パネル体が透明または透光性を有していれば、本発明を実施できる。
さらに、上記実施の形態では、スパンドレル部の外壁パネル体と躯体構造物との間に耐火パネル体が配設されているが、延焼の惧れがなく耐火パネル体が配されていないスパンドレル部（例えば、最上階の窓部の上側に設けられるスパンドレル部）であっても、本発明を実施できる。
さらに、上記実施の形態では、バランサー装置は、外壁パネル体を支持する枠材である方立に支持される構成になっているが、バランサー装置を、外壁パネル体を支持する他の枠材（例えば、無目）に支持せしめたり、或いは、外壁パネル体を支持する枠材にスペースがないような場合（例えば、外壁パネル体を支持する枠材がサッシ枠の場合）には、外壁パネル体を支持する枠材に連結される額縁部材にバランサー装置を支持せしめる構成にすることもできる。このようにしても、外壁パネル体を支持する枠材または額縁部材を利用して、バランサー装置を確実に支持できることになる。
さらに、上記実施の形態では、表示装置の昇降をガイドするガイドレールは、外壁パネル体を支持する枠材である方立に設けられているが、これらに限定されることなく、外壁パネル体を支持する他の枠材や、該枠材に連結される額縁部材等に設けることもできる。
さらに、上記実施の形態では、表示装置配設部の下方に、表示装置配設部と居住空間との間を昇降する表示装置の昇降口となる開口が設けられているが、表示装置配設部の上方に、表示装置の昇降口となる開口を設けることもできる。この場合、表示装置は、スパンドレル部と該スパンドレル部の上階の居住空間との間を昇降して、該上階の居住空間に取出されることになる。
さらに、上記実施の形態では、表示パネルと導光パネルと光源とを備えた表示装置を例示したが、表示装置としては、例えば、光源のないもの、ＬＥＤそのもので文字や画を表示するもの等、様々な形態のものを採用できる。
さらに、上記実施の形態では、バランサー装置は、表示装置の荷重と略釣り合う上向きの力を表示装置に付与するように、つまり、表示装置の荷重の全部を相殺するように設定されていて、表示装置を任意の昇降位置で保持できる構成になっているが、表示装置の荷重の一部を相殺する、つまり、表示装置の荷重よりも小さな上向きの力を付与する構成にすることもできる。このようにしても、表示装置を軽い操作力で昇降させることができるとともに、表示装置の急激な落下を防止できる。
さらに、上記実施の形態では、バランサー装置としてスパイラル式バランサーが用いられているが、これに限定されることなく、例えば、渦巻きばねを用いたバランサーや、滑車とウエイトとを用いたバランサー等を用いることもできる。
【産業上の利用可能性】
【００３８】
本発明は、カーテンウォール等の建物外壁部に表示装置を設ける場合に利用することができる。
【符号の説明】
【００３９】
１  カーテンウォール
１Ａ  窓部
１Ｂ  スパンドレル部
２  方立
３  無目
４  外壁パネル体
５  躯体構造物
７  耐火パネル体
２１  表示装置
２２  表示装置配設部
２９  開口
３８  ガイドレール
４０  バランサー装置
４１  スパイラル式バランサー
４７ａ  上側係止部
４７ｃ  下側係止部
４８  上側バランサー支持ブラケット
４９  下側バランサー支持ブラケット
【図１】
2018053641.tif 000003
【図２】
2018053641.tif 000004
【図３】
2018053641.tif 000005
【図４】
2018053641.tif 000006
【図５】
2018053641.tif 000007
【図６】
2018053641.tif 000008
【図７】
2018053641.tif 000009
【図８】
2018053641.tif 000010
【図９】
2018053641.tif 000011
【図１０】
2018053641.tif 000012
【図１１】
2018053641.tif 000013
【図１２】
2018053641.tif 000014